(57)【要約】【課題】本発明は、自動車等における内燃機関の点火プラグに対して高電圧を供給し、火花放電を発生させる際に発生する雑音の除去または耐雑音性向上用のコンデンサを備えた内燃機関用点火コイルに関するものである。【解決手段】雑音除去または耐雑音性向上用コンデンサは、駆動信号入力端子と電源入力端子の間に挿入されているため、一次端子の立体交差が軽減できるようになった。【選択図】図１
2007242762.tif 000002
【特許請求の範囲】
【請求項１】
一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成される内燃機関用点火コイルにおいて、
前記雑音除去または耐雑音性向上用コンデンサは、
駆動信号入力端子と電源入力端子の間に配置されていることを特徴とする内燃機関用点火コイル。
【請求項２】
前記雑音除去または耐雑音性向上用コンデンサは、
前記駆動信号入力端子が接地端子と立体交差して一方の端子に、電源入力端子が他方の端子にそれぞれ接続されていることを特徴とする請求項１に記載された内燃機関用点火コイル。
【請求項３】
前記雑音除去または耐雑音性向上用コンデンサは、
絶縁ケース内に、イグナイタと縦列であり、かつ、コネクタソケットの基部に平行に配置されていることを特徴とする請求項１または請求項２に記載された内燃機関用点火コイル。
【発明の詳細な説明】
【技術分野】
【０００１】
本発明は、自動車等における内燃機関の点火プラグに対して高電圧を供給し、火花放電を発生させる際に発生する雑音の除去または耐雑音性向上用のコンデンサを備えた内燃機関用点火コイルに関するものである。特に、本発明は、前記雑音除去または耐雑音性向上用コンデンサを駆動信号入力端子と電源入力端子の間に配置した内燃機関用点火コイルに関するものである。
【背景技術】
【０００２】
図３は従来例における内燃機関用点火コイルを説明するための図である。図３において、内燃機関用点火コイルの絶縁ケース３０は、コネクタソケット３２と、前記コネクタソケット３２と反対側に設けられている取付孔３３と、前記コネクタソケット３２と取付孔３３の間に成形されているコイル収納部３１とから少なくとも構成されている。前記コイル収納部３１には、コイルおよび鉄心からなるコイル組立体３４と、イグナイタ収納部３１１と、コンデンサ収納部３１２が設けられている。
【０００３】
前記コンデンサ収納部３１２は、コンデンサ３５の収納部であり、前記絶縁ケース３０にコイル収納部３１と同時に成形されている。前記コンデンサ収納部３１２には、前記コンデンサ３５のリードを案内するガイド３１３が設けられている。また、前記ガイド３１３には、前記コンデンサ３５のリードをガイドする溝が設けられている。前記コンデンサ３５は、コンデンサ収納部３１２に頭部から挿入して、予めフォーミングされたリードがガイド３１３の溝に嵌合された後、一次端子である２２４（たとえば、接地端子）、２２５（たとえば、駆動信号入力端子）にそれぞれ溶接される。
【０００４】
図２は従来例における内燃機関用点火コイルの雑音除去または耐雑音性向上用コンデンサの端子接続を説明するための概念図である。図２において、雑音除去または耐雑音性向上用コンデンサ２１２は、駆動信号入力端子２２１がリード２２４に接続され、また、接地端子２２２がリード２２５に接続されている。この結果、前記駆動信号入力端子２２１は、駆動信号入力端子２２１および接地端子２２２と立体交差することになる。すなわち、前記接続は、立体交差部２２６、２２７が二箇所になる。その他に、コイル収納部にコンデンサが挿入されている内燃機関用点火コイルは、特開２００２−１９５１４３号公報に記載されている。
【特許文献１】特開２００２−１９５１４３号公報
【発明の開示】
【発明が解決しようとする課題】
【０００５】
前記立体交差部２２６、２２７は、雑音がコンデンサに吸収されずに漏洩する場合がある。また、前記立体交差部２２６、２２７は、配線を立体的に引き回しているため、雑音が外部に漏洩するという欠点があった。さらに、前記立体交差部２２６、２２７は、一次端子を引き回しているため、前記引き回しの構造が複雑になり、取り付け作業が容易でないという欠点があった。
【０００６】
以上のような課題を解決するために、本発明は、雑音除去または耐雑音性向上用コンデンサを駆動信号入力端子と電源入力端子の間に設けることにより、一次端子の引き回しを少なくして、雑音の抑制、構造簡単、組立作業の簡素化を達成できる内燃機関用点火コイルを提供することを目的とする。また、本発明は、安価でかつ製造が容易な形状の端子を備えた内燃機関用点火コイルを提供することを目的とする。
【課題を解決するための手段】
【０００７】
（第１発明）
第１発明の内燃機関用点火コイルは、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成されており、前記雑音除去または耐雑音性向上用コンデンサは、駆動信号入力端子と電源入力端子の間に配置されていることを特徴とする。
【０００８】
（第２発明）
第２発明の内燃機関用点火コイルにおいて、第１発明の雑音除去または耐雑音性向上用コンデンサは、駆動信号入力端子が接地端子と立体交差して一方の端子に、電源入力端子が他方の端子にそれぞれ接続されていることを特徴とする。
【０００９】
（第３発明）
第３発明の内燃機関用点火コイルにおいて、第１発明または第２発明の雑音除去または耐雑音性向上用コンデンサは、絶縁ケース内に、イグナイタと縦列であり、かつ、コネクタソケットの基部に平行に配置されていることを特徴とする。
【発明の効果】
【００１０】
本発明によれば、雑音除去または耐雑音性向上用コンデンサを駆動信号入力端子と電源入力端子の間に設けることにより、一次端子の引き回しを少なくして、雑音の抑制、構造簡単、組立作業の簡素化を達成することができる。
【００１１】
本発明によれば、一次端子の立体交差部の交差面積を軽減できるようになったため、雑音を除去することができる。
【発明を実施するための最良の形態】
【００１２】
（第１発明）
第１発明の内燃機関用点火コイルは、一次コイルおよび二次コイルと、前記一次コイルおよび二次コイルを磁気的に結合する鉄心と、前記一次コイルにおける電流の通電および遮断を点火信号に基づいて行うパワースイッチと、前記二次コイルに発生した高電圧により火花を発生する点火プラグと、雑音除去または耐雑音性向上用コンデンサとから少なくとも構成される。また、前記雑音除去または耐雑音性向上用コンデンサは、駆動信号入力端子と電源入力端子の間に配置されている。
【００１３】
本出願人は、前記雑音除去または耐雑音性向上用コンデンサを駆動信号入力端子と接地端子の間に配置することなく、駆動信号入力端子と電源入力端子の間に配置しても、雑音を軽減できるだけでなく、一次端子の引き回しを少なく、立体交差を軽減できることを発見した。
【００１４】
（第２発明）
第２発明の雑音除去または耐雑音性向上用コンデンサは、駆動信号入力端子が接地端子と立体交差して一方の端子に、電源入力端子が他方の端子にそれぞれ接続されていることにより、一次端子の立体交差を駆動信号入力端子と接地端子の一部のみとして、最低にすることができた。
【００１５】
（第３発明）
第３発明の雑音除去または耐雑音性向上用コンデンサは、絶縁ケース内において、イグナイタと縦列であり、かつ、コネクタソケットの基部に平行に配置されている。前記雑音除去または耐雑音性向上用コンデンサの配置関係において、前記雑音除去または耐雑音性向上用コンデンサは、駆動信号入力端子と電源入力端子の間に配置することによって雑音を軽減できるだけでなく、一次端子の引き回しを少なく、立体交差を軽減できる。
【実施例１】
【００１６】
図１は本発明の実施例で、内燃機関用点火コイルの雑音除去または耐雑音性向上用コンデンサの端子接続を説明するための概念図である。図１において、絶縁ケース１１は、コネクタソケット１２と、イグナイタ１１１と、雑音除去または耐雑音性向上用コンデンサ１１２とから少なくとも構成されている。前記コネクタソケット１２は、内部に一次端子として、駆動信号入力端子１２１と、接地端子１２２と、電源入力端子１２３とから構成されている。図１はコイル組立体（一次コイルおよび二次コイルと鉄心等）、充填材等が省略されている。
【００１７】
前記駆動信号入力端子１２１は、接地端子１２２の上または下を通り、雑音除去または耐雑音性向上用コンデンサ１１２の一方の端子１２５に接続される。前記駆動信号入力端子１２１は、前記配線に際し、接地端子１２２と一部に立体的重なり部１２６が形成される。電源入力端子１２３は、立体的に重ならないように前記雑音除去または耐雑音性向上用コンデンサ１１２の他方の端子１２４に接続される。
【００１８】
本発明の実施例は、駆動信号入力端子１２１と接地端子１２２の間に雑音除去または耐雑音性向上用コンデンサ１１２を配置するのではなく、駆動信号入力端子１２１と電源入力端子１２３との間に雑音除去または耐雑音性向上用コンデンサ１１２を配置することにより、前記駆動信号入力端子１２１を複雑に引き回すことがなく、組立作業を容易に行うことができる。また、前記駆動信号入力端子１２１は、接地端子１２２に立体的に重なる部分が少ないため、雑音の漏洩が少ない。
【００１９】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本実施例における雑音除去または耐雑音性向上用コンデンサ、端子、およびケースの材質、あるいは内燃機関用点火コイル、およびイグナイタの形状は、公知または周知のものを採用することができる。
【図面の簡単な説明】
【００２０】
【図１】本発明の実施例で、内燃機関用点火コイルの雑音除去または耐雑音性向上用コンデンサの端子接続を説明するための概念図である。（実施例１）
【図２】従来例における内燃機関用点火コイルの雑音除去または耐雑音性向上用コンデンサの端子接続を説明するための概念図である。
【図３】従来例における内燃機関用点火コイルを説明するための図である。
【符号の説明】
【００２１】
１１・・・絶縁ケース
１１１・・・イグナイタ
１１２・・・雑音除去または耐雑音性向上用コンデンサ
１２・・・コネクタソケット
１２１・・・駆動信号入力端子
１２２・・・接地端子
１２３・・・電源入力端子
１２４・・・他方の端子（コンデンサの）
１２５・・・一方の端子（コンデンサの）
１２６・・・重なり部
【図１】
2007242762.tif 000003
【図２】
2007242762.tif 000004
【図３】
2007242762.tif 000005